(57)【特許請求の範囲】
【請求項１】
公衆電話回線、携帯端末装置及び本体としてのパソコンと、それぞれ電気的に接続された光通信アダプタであって、前記携帯端末装置とは光通信によって通信し、前記パソコンとはコネクタでシリアル通信し、前記公衆電話回線とは内蔵した切替機を介して通信するモデムユニットを内蔵することを特徴とするモデムユニット内蔵光通信アダプタ。
【請求項２】
前記公衆電話回線、携帯端末装置及び本体としてのパソコンの、いずれか２つの外部装置同士の接続を、前記携帯端末或いはパソコンからコマンドをＣＰＵへ印加することにより、任意の接続を行なうことを特徴とする請求項１記載のモデムユニット内蔵光通信アダプタ。
【発明の詳細な説明】
【０００１】
【産業上の利用分野】
本発明は携帯端末装置の本体としてのパソコンとの通信を補助するためのアダプタに関し、特に光通信によるアダプタに関するものである。
【０００２】
【従来の技術】
従来は、図５に示す従来の携帯端末の光通信アダプタとモデムユニットの電気的ブロック図を参照すると、携帯端末１３と本体としてのパソコン１４間での通信、携帯端末１３とモデムユニット２２間での通信、パソコン１４とモデムユニット２２間での通信を行う場合、信号切替機２３を用いて信号を切り替えて使用するか、ケーブルを接続し直すかあるいは、事前にそれぞれの通信専用に機器を接続しておかなければならなかった。
【０００３】
また、光通信アダプタ２１とモデムユニット２２に各々ＣＰＵ２４、２５を持っており、光通信アダプタ２１では、ＲＯＭ２６あるいはＲＡＭ２７に格納されたプログラムに従い、ＣＰＵ２４が所定の処理、例えば光通信アダプタ２１及びモデムユニット２２、或いはパソコン１４との通信を実行している。また、モデムユニット２２では、ＲＯＭ２８、ＲＡＭ２９或いは電気的に書換可能な不揮発メモリ３０に格納されたプログラムに従い、ＣＰＵ２５が所定の処理、例えばパソコン１４との通信及び、公衆電話回線１６との通信、ＭＯＤＥＭ３１、ＮＣＵ３２の制御を実行している。
【０００４】
また、各々のＣＰＵ２４、２５は、光通信アダプタ２１のシリアル通信部３３とモデムユニット２２のシリアル通信部３４を介して接続されていた。まず、携帯端末１３からモデムユニット２２を制御しようとする場合を考える。携帯端末１３のＣＰＵ（図示せず）から出力されたコマンドは、携帯端末１３の光通信部、光通信アダプタ２１の光通信部３５を通して光通信アダプタ２１のＣＰＵ２４に印加される。印加されたコマンドは光通信アダプタ２１のＣＰＵ２４から光通信アダプタ２１のシリアル通信部３３、モデムユニット２２のシリアル通信部３４を通してモデムユニット２２のＣＰＵ２５に印加される。モデムユニット２２では入力されたコマンドを元にＭＯＤＥＭ３１あるいはＮＣＵ３２を制御する。
【０００５】
また、モデムユニット２２に対するコマンドの結果をモデムユニット２２から携帯端末１３に出力する場合を考えると、モデムユニット２２のＣＰＵ２５より出力された結果は、モデムユニット２２のシリアル通信部３４、光通信アダプタ２１のシリアル通信部３３を通して光通信アダプタ２１のＣＰＵ２４に印加される。印加された結果は光通信アダプタ２１のＣＰＵ２４から光通信アダプタ２１の光通信部３５、携帯端末１３の光通信部を通して携帯端末のＣＰＵに印加される。
【０００６】
【発明が解決しようとする課題】
携帯端末と本体としてのパソコン間での通信と、携帯端末とモデムユニット間での通信と、パソコンとモデム間での通信とを切り替える信号切替機を使用した場合、図６に示すように機器が多くなり接続されるケーブルも多くなる。また、事前にそれぞれの通信専用に機器を接続する場合、それぞれの通信専用の機器をそろえる必要があり不経済である。また、従来の構成では、光通信アダプタ、モデムユニットに関して、２つのＣＰＵ、２つのＲＯＭ、２つのＲＡＭ、２つのシリアル通信部、１つの光通信部、１つの不揮発メモリが必要となる。
【０００７】
【課題を解決するための手段】
本発明は上述した課題を解決するためのものであって、公衆電話回線、携帯端末装置及び本体としてのパソコンと、それぞれ電気的に接続された光通信アダプタであって、前記携帯端末装置とは光通信によって通信し、前記パソコンとはコネクタでシリアル通信し、前記公衆電話回線とは内蔵した切替機を介して通信するモデムユニットを内蔵するモデムユニット内蔵光通信アダプタを提案するものである。
【０００８】
【作用】
本発明の光通信アダプタは、モデムユニットを内蔵する事により、ＣＰＵ、ＲＯＭ、ＲＡＭ及びシリアル通信部が各々１個で構成され、携帯端末装置、パソコン、電話機及び電話回線との接続が、モデムユニット内蔵光通信アダプタに内蔵したＣＰＵにより制御される。
【０００９】
【実施例】
以下、本発明の実施例を添付図面を参照して説明する。図１は本発明のモデムユニット内蔵光通信アダプタの電気的ブロック図、図２は本発明を適用した信号処理システム図、図３は本発明のモデムユニット内蔵光通信アダプタの外観斜視図である。モデムユニット内蔵光通信アダプタ１では、ＲＯＭ３またはＲＡＭ４或いは電気的に書換可能な不揮発メモリ５（例えば、ＥＥＰＲＯＭ、ＦＬＡＳＨメモリ等）に格納されたプログラムに従い、ＣＰＵ２が本発明に係る処理およびアプリケーションプログラム等の所定の処理を実行する。光通信部６は携帯端末１３と通信を行う部分であり、送信及び受信用の光素子が内部に配置されている。携帯端末検出部８は携帯端末１３がモデムユニット内蔵光通信アダプタ１に接続されているかどうかを検出し、その結果をＣＰＵ２に印加する。携帯端末検出部８は、例えば、携帯端末検出部から入力された信号を鈍らせてヒゲ等がでないようにするとか、一定時間同じ信号の場合のみ、その信号を有効にする等の手段を講じてスイッチのチャタリング等があっても問題がでないように設計されている。携帯端末１３が接続されている場合、携帯端末電池充電部７では携帯端末１３の電池の状態を測定し充電が必要な場合、充電を開始する。シリアル通信部９はシリアルコネクタ（図示せず）に接続されたパソコン１４との通信を行う。
【００１０】
また、メモリ書込コマンドにより設定された内容が書換可能不揮発メモリ５に書き込まれる。ＭＯＤＥＭ（MOdulator/DEModulator）１０は変復調回路で、携帯端末１３より送信されるデジタル信号を公衆電話回線用のアナログ信号に変換したり、公衆電話回線１６からのアナログ信号を携帯端末用のデジタル信号に変換する。ＮＣＵ（Network Control Unit）１１は網制御装置で、電話機のオンフック（受話機をあげる動作）、オフフック（受話機をおろす動作）、ダイアリング（ダイアルを回す動作）等の回線接続にかかる制御をＣＰＵ２からの命令により行うものである。併設電話機切替部１２では、併設電話１５が使用中であるか否かを判別し、併設電話使用中には手動切替スイッチ１９（図３参照）の入力があるまで動作を行わず、またモデムユニット内蔵光通信アダプタ１の通信中は、併設電話１５に接続しないなどの制御を行う。
【００１１】
状態インジゲータ１７はＣＰＵ２で処理されている状態をＬＥＤにて表示する。状態インジゲータ１７はＬＥＤではなく７セグメントや液晶でも可能である。切替スイッチ１８（図３参照）は、携帯端末検出部８に携帯端末１３のモデムユニット内蔵光通信アダプタ１への載置により信号を印加し、モデムユニット内蔵光通信アダプタ１の動作を切り替えるものである。
【００１２】
図示しない設定用ＤＩＰＳＷはモデムユニット２０として必要な設定、例えば、公衆電話回線がトーン方式かパルス方式のどちらであるかの設定、通信速度の設定、自動着信の有無の設定、端末通信速度、パラメータの設定等のデフォルトを定めるものである。但し、これらの設定は、端末よりのコマンドでも設定可能で、コマンドにより設定された機能はＤＩＰＳＷの設定よりも優先される。
【００１３】
動作について説明すると、まず、携帯端末検出部８で携帯端末１３が検出されない場合、つまり携帯端末１３が接続されていない場合、モデムユニット内蔵光通信アダプタ１の動作は、パソコン１４と公衆電話回線１６の接続となる。また、携帯端末１３が検出された場合、前述したＤＩＰＳＷの状態に応じて接続が定められる。但し、このＤＩＰＳＷはモデムユニット内蔵光通信アダプタ１の裏面に配置されている。図４に示すように、ＤＩＰＳＷ中の２ｂｉｔがＯＮ・ＯＮの場合、パソコン１４と公衆電話回線１６の接続、ＯＮ・ＯＦＦで携帯端末１３と公衆電話回線１６の接続、ＯＦＦ・（ＯＮ，ＯＦＦ）でパソコン１４と携帯端末１３の接続が定められる。携帯端末１３が接続されている状態で、切替スイッチ１８を押下する事により、パソコン１４と公衆電話回線１６の接続  −＞  携帯端末１３と公衆電話回線１６の接続  −＞  パソコン１４と携帯端末１３の接続−＞  パソコン１４と公衆電話回線１６の接続・・・と接続を切り替えることが可能である。また接続の状態は、状態インジゲータ１７に表示される。図３では状態インジケ−タ１７としてＬＥＤを使用しているため、パソコン１４と公衆電話回線１６の接続時は赤色、携帯端末１３と公衆電話回線１６の接続時は緑色、パソコン１４と携帯端末１３の接続時は橙色で表示される。但し、どの接続でどの色であるかは、判別出来ればよいので違っていても問題ない。どの接続の状態であっても、携帯端末１３が検出されなくなった段階で、パソコン１４と公衆電話回線１６の接続状態に切り替わる。この切替についてはスイッチを使用したものを上げたが、コマンドによるパソコン１４あるいは携帯端末１３からの操作で行うことも可能である。
【００１４】
また、パソコン１４と公衆電話回線間１６で通信中の場合には、不用意に携帯端末１３を置かれても（携帯端末を検出）、上記切替スイッチ１８は通信終了まで無効となる。携帯端末１３とパソコン１４あるいは公衆電話回線１６間で通信中の場合、携帯端末１３が外される（携帯端末を未検出）と、回線断の手続きの後、パソコン１４と公衆電話回線１６の接続状態に切り替わる。コマンドによる通信の切替が可能であることから、３方向の通信を必要なときに随時、自動で通信方向を切り替えること、例えば、携帯端末１３と公衆電話回線１６の通信中に、モデムユニット内蔵光通信アダプタ１へのコマンド送信により、携帯端末１３とパソコン１４の通信、或いはパソコン１４と携帯端末１３の通信に切り替えること或いは、同様に携帯端末１３とパソコン１４の通信中に他の２つの通信に切り替えることや、パソコン１４と公衆電話回線１６の通信中に他の２つの通信に切り替えることが可能となる。また、公衆電話回線１６使用中、接続の切替を行なっても回線が途切れることはない。
【００１５】
次に、パソコン１４と携帯端末１３の接続時の動作を説明する。モデムユニット内蔵光通信アダプタ１の裏面に配置されたＤＩＰＳＷの状態（図４）よりパソコン１４とモデムユニット内蔵光通信アダプタ１間の通信速度及び通信パラメータを設定する。次に、携帯端末１３とモデムユニット内蔵光通信アダプタ１間の通信速度及び通信パラメータを設定する。パソコン１４からのデータはシリアル通信部９を通してＣＰＵ２に印加される。ＣＰＵ２に印加されたデータは、光通信部６を通して携帯端末１３に入力される。また、携帯端末１３からのデータは、光通信部６を通してＣＰＵ２に印加される。ＣＰＵ２に印加されたデータは、シリアル通信部９を通してパソコン１４に出力される。
【００１６】
上述の方法はパソコン１４と携帯端末１３間の通信の途中にＣＰＵ２を介在させたものであるが、ＣＰＵ２を介在させない方法もある。ＣＰＵ２を介在させない方法は、切替スイッチ１８によりパソコン１４と携帯端末１３の接続が選択された場合、内部回路を変更し、シリアル通信部９と光通信部６を直接接続する。この場合のデータの流れを次に表記する。パソコン１４からのデータは、シリアル通信部９、光通信部６を通して携帯端末１３に入力される。また、携帯端末１３からのデータは、光通信部６、シリアル通信部９を通してパソコン１４に入力される。ＣＰＵ２を介在させない方法の場合、モデムユニット内蔵光通信アダプタ１の裏面に配置された通信速度、通信パラメータのＤＩＰＳＷの設定は無効で、携帯端末とパソコンの通信速度、通信パラメータに依存する。また、ＣＰＵ２を通らないため、上述したコマンドによる切替も無効となる。
【００１７】
次に、携帯端末１３と公衆電話回線１６の接続時の動作を説明する。まず、モデムユニット内蔵光通信アダプタ１の裏面に配置されたＤＩＰＳＷの状態の携帯端末１３とモデムユニット内蔵光通信アダプタ１間の通信速度及び通信パラメータを設定する。この設定は、携帯端末１３の出力するコマンドで判断することも可能である。モデムユニット２０に対するコマンドとして代表的なものとしてＡＴコマンドとＶ．２５ｂｉｓといわれるものがある。ＡＴコマンドを例に取り動作を説明する。ＣＰＵ２は、コマンドモード（携帯端末からのコマンドを受け付けるモード）とデータモード（携帯端末と公衆電話回線間で通信を行うモード）を保持し、通常コマンドモードにて待機している。まず、携帯端末１３よりモデムユニット２０の初期化コマンド（ＡＴＺ）を送信する。初期化コマンドを受信したモデムユニット２０は、ＤＩＰＳＷ及び不揮発メモリ５に蓄えられた情報に従い、モデムユニット２０を初期化し正常終了した場合ＯＫを送信する。ＯＫを受け取った携帯端末１３は、一時的に変更したい設定など、例えばコマンドエコーをする、しない（ＡＴＥ）等のコマンドを送信する。このコマンドを受信したモデムユニット２０はコマンドを解釈し、設定を変更する。このようにコマンドのやりとりで設定されたものはＤＩＰＳＷや、不揮発メモリ５に書かれている設定よりも優先される。一度変更された設定は、電源を落とすかあるいは、初期化コマンドを受信するまで保持される。変更した設定は、携帯端末１３からの設定の不揮発メモリ５への書込コマンド（ＡＴ＆Ｗ）により常時保持する事も可能である。
【００１８】
次に、自動で電話をかける場合、携帯端末１３より自動ダイアルコマンド（ＡＴＤxxxxxxxxxx）を送出する。モデムユニット２０は指定された番号に電話をかける。ＣＰＵ２は、ＮＣＵ１１を制御してオン・フックを行い、パルス式あるいはトーン式の接続されている回線にあった方式で電話番号を公衆電話回線１６に送出する。呼出音がなり、相手が接続された場合、モデムユニット２０は接続されたことを携帯端末１３に知らせ、ＣＰＵ２はコマンドモードからデータモードに移行する。データモード中は、携帯端末１３より送出されたデジタル信号は、ＭＯＤＥＭ１０によりアナログ信号に変換され、ＮＣＵ１１を通して公衆電話回線１６に送出される。また、公衆電話回線１６からのアナログ信号はＮＣＵ１１を通してＭＯＤＥＭ１０でデジタル信号に変換され、携帯端末１３に送出される。ＣＰＵ２では公衆電話回線１６で接続された相手モデムユニットと連携の上で、公衆電話回線１６上のデータ量を少なくするためにデータ圧縮を行ったり、公衆電話回線１６上でのエラーを補正する方法も用いることが可能である。携帯端末１３よりエスケープコマンド（無信号期間（信号を送受信しない期間、例として１秒間）＋＋＋無信号期間）を受け取ると、ＣＰＵ２はデータモードからコマンドモードに移行する。コマンドモードに移行後、回線制御コマンド（ＡＴＨ）を受け取ると、ＣＰＵ２はＮＣＵ１１を制御して、回線を切ったのち、動作を終了しコマンド入力待ちの状態に移行する。
【００１９】
実施例として斜視図を参照して説明したが、光通信部及び携帯端末電池充電部は、携帯端末の位置と対応がとれればよく、携帯端末検出部としてスイッチを選択した場合は本発明機器と携帯端末が接する場所にあればよい、またスイッチ以外の方法、例えばフォトカプラ、近接センサ等を用いた場合は携帯端末が検出できる位置にあればよい。その他の部品の位置については本発明の主たる性能に影響を及ぼさないため、どの位置にあってもかまわない。また、ＤＩＰＳＷは設定に使用するためのものであって、ロータリーＳＷやジャンパーピン等でもかまわない。また、パソコンと公衆電話回線の接続時の動作は、上述のの説明の携帯端末をパソコンに、光通信部をシリアル通信部に置き換えたものと同様に処理出来るものである。
【００２０】
【発明の効果】
本発明では、携帯端末、パソコン及び公衆電話回線のそれぞれの通信の際、ケーブルの接続し直しや、信号切替機等の接続が不要になり、単純な構成で三方向それぞれの通信が容易となる。また、モデムユニットを内蔵する事により、ＣＰＵ、ＲＯＭ、ＲＡＭ及びシリアル通信部が各々１個で構成されるため、構成部品点数を少なくすることが可能で、小型化、及び低価格化が可能となる。
【図面の簡単な説明】
【図１】    モデムユニット内蔵光通信アダプタの電気的ブロック図
【図２】    本発明を適用した信号処理システム図
【図３】    モデムユニット内蔵光通信アダプタの外観斜視図
【図４】    ＤＩＰＳＷの設定例
【図５】    従来例の電気的ブロック図
【図６】    従来例の信号処理システム図
【符号の説明】
１    モデムユニット内蔵光通信アダプタ
２    ＣＰＵ
３    ＲＯＭ
４    ＲＡＭ
５    書換可能不揮発メモリ
６    光通信部
７    携帯端末電池充電部
８    携帯端末検出部
９    シリアル通信部
１０    ＭＯＤＥＭ
１１    ＮＣＵ
１２    併設電話機切替部
１３    携帯端末
１４    パソコン
１５    併設電話機
１６    公衆電話回線
１７    状態インジケ−タ
１８    切替スイッチ
１９    手動切替スッチ
２０    モデムユニット
２１    光通信アダプタ
２２    モデムユニット
２３    信号切替機
２４    ＣＰＵ
２５    ＣＰＵ
２６    ＲＯＭ
２７    ＲＡＭ
２８    ＲＯＭ
２９    ＲＡＭ
３０    書換可能不揮発メモリ
３１    ＭＯＤＥＭ
３２    ＮＣＵ
３３    シリアル通信部
３４    シリアル通信部
３５    光通信部
【図１】
0003641851.tif 000002
【図２】
0003641851.tif 000003
【図３】
0003641851.tif 000004
【図４】
0003641851.tif 000005
【図５】
0003641851.tif 000006
【図６】
0003641851.tif 000007